(57)【要約】      （修正有）【課題】ノズルから取り外したニードルキャップを紛失し難くしたエアーブラシを提供する。【解決手段】エアーブラシ本体と、エアーブラシ本体の先端に設けられ、塗料流と空気流を噴射させるノズルと、ノズルに着脱自在に取付けられるニードルキャップ８０と、エアーブラシ本体の後端に設けられ、ノズルから離脱させたニードルキャップ８０を仮装着させるニードルキャップ装着部９０と、を有する。ニードルキャップ８０は、その内周にノズルの外周に形成された雄ねじに螺合される雌ねじ８０Ａを有し、ニードルキャップ装着部９０は、その外周にニードルキャップ８０の雌ねじ８０Ａに螺合される雄ねじ９２Ａを有する突起部９２からなる。【選択図】図５
2014221468.tif 000002
【特許請求の範囲】
【請求項１】
エアーブラシ本体と、
前記エアーブラシ本体の先端に設けられ、塗料流と空気流を噴出させるノズルと、
前記ノズルに着脱自在に取付けられるニードルキャップと、
前記エアーブラシ本体の後端に設けられ、前記ノズルから離脱させた前記ニードルキャップを仮装着させるニードルキャップ装着部と、
を有することを特徴とするエアーブラシ。
【請求項２】
前記ニードルキャップ装着部は、外周に前記ニードルキャップを仮装着可能な係止手段が形成された突起部を有することを特徴とする請求項１に記載のエアーブラシ。
【請求項３】
前記ニードルキャップは、その内周に前記ノズルの外周に形成された雄ねじに螺合される雌ねじを有し、
前記突起部は、その外周に前記ニードルキャップの前記雌ねじに螺合される雄ねじを有することを特徴とする請求項２に記載のエアーブラシ。
【請求項４】
前記ニードルキャップ装着部は、
さらに、
前記突起部を囲んで形成される外側円筒体と、
前記外側円筒体と前記突起部との間に配置される内側円筒体と、
前記エアーブラシ本体と前記内側円筒体との間に配置されたコイルスプリングと、
を有し、
前記内側円筒体は、前記コイルスプリングの付勢力に抗してエアーブラシ本体側へ押すことにより、前記突起部の雄螺子を露出できることを特徴とする請求項３に記載のエアーブラシ。
【請求項５】
前記ニードルキャップは、その内周に前記ノズルの外周に形成された凹部に嵌合される凸部を有し、
前記突起部は、その外周に前記ニードルキャップの前記凸部に嵌合される凹部を有することを特徴とする請求項２に記載のエアーブラシ。
【請求項６】
前記ニードルキャップ装着部は、
さらに、
前記突起部を囲んで形成される外側円筒体と、
前記外側円筒体と前記突起部との間に配置される内側円筒体と、
前記エアーブラシ本体と前記内側円筒体との間に配置されたコイルスプリングと、
を有し、
前記内側円筒体を、前記コイルスプリングの付勢力に抗してエアーブラシ本体側へ押すことにより、前記突起部の前記凹部およびその周辺の凸部を露出できることを特徴とする請求項５に記載のエアーブラシ。
【請求項７】
前記ニードルキャップは磁石を備え、
前記磁石は、前記ノズル及び前記ニードルキャップ装着部の取り付け側がN極又はS極のいずれか一方の磁極によって形成され、
前記ノズルは前記ニードルキャップの磁石の磁極とは反対の磁極で形成され、
前記ニードルキャップ装着部は前記ニードルキャップの磁石の磁極とは反対の磁極で形成されることを特徴とする請求項１に記載のエアーブラシ。
【請求項８】
前記ニードルキャップは磁石を備え、前記磁石は、前記ノズル及び前記ニードルキャップ装着部の取り付け側がN極又はS極のいずれか一方の磁極によって形成され、
前記ノズルは鉄などの磁性体によって形成され、
前記ニードルキャップ装着部は鉄などの磁性体によって形成されることを特徴とする請求項１に記載のエアーブラシ。
【発明の詳細な説明】
【技術分野】
【０００１】
本発明はエアーブラシに係り、特に、そのノズルの先端にニードルキャップを備えるエアーブラシに関する。
【背景技術】
【０００２】
エアーブラシは、圧縮した空気によって塗料を霧状に飛ばす道具であり、筆では難しいムラのない塗装が簡単にできるようになっている。
【０００３】
このようなエアーブラシは、たとえば下記特許文献１に記載されているように、ほぼペンシルに似た形状をなすエアーブラシ本体を具備する。そして、エアーブラシ本体の先端には、塗料流と空気流を噴射させるノズルが設けられている。ノズルの後部のエアーブラシ本体の上部には塗料容器が設けられ、該塗料容器内の塗料は後述の操作杆の操作によってノズル内に導かれるようになっている。エアーブラシ本体のほぼ中央には、圧縮空気を供給する空気供給口部と、この空気供給口部から供給された圧縮空気をノズルの外周に導く操作杆とが設けられている。エアーブラシ本体の軸芯部には、その先端が該ノズルの塗料噴射孔をシールするように付勢されたニードルが内蔵され、上述の操作杆の操作による該ニードルの後退によって該シールを解除できるようになっている。
【０００４】
このように構成されるエアーブラシは、操作杆をエアーブラシ本体側へ押すことにより、空気供給口部からの圧縮空気をノズルの外周に沿って噴出させ、さらに、操作杆を後方へ移動させることにより、ニードルによるシールが解除されたノズルの塗料噴射孔を通して塗料を吹き出させるようになっている。
【０００５】
ここで、ノズルの塗料噴射孔のニードルによるシールは、たとえば、ニードルの先端部をノズルの塗料噴射孔に抜き差し自在に貫通せしめる弁構造によって行っている。
塗料噴射孔からニードルが突出しているノズルの先端部は、被塗物等との接触によってニードルの破損や曲がり、変形が生じやすく、噴出される塗料の線の太さや噴出の向きが狂うなどの不具合を生じる。このため、ノズル先端部には前記ニードルを保護するニードルキャップが備えられている。
【先行技術文献】
【特許文献】
【０００６】
【特許文献１】特開２０００−１４０７１９号公報
【発明の概要】
【発明が解決しようとする課題】
【０００７】
このように構成されたエアーブラシは、ペインティング等において、たとえば極細線を描く際に、ニードルキャップをノズルから取り外し、該ノズルの先端を被塗装面にできるだけ近づけて描くようにする場合がある。
この場合、ノズルから取り外したニードルキャップは、比較的小さなものとして構成されているため、紛失し易いという不都合があった。
また、エアーブラシは、絵画やネイルアートなど芸術性・デザイン性が高い場面で使用される塗布機器であり、そのためエアーブラシ本体にも高い意匠性が要求された。
【０００８】
本発明は、このような事情に鑑みてなされたものであり、その目的は、ノズルから取り外したニードルキャップを紛失し難くし、且つ意匠性を損なわないエアーブラシを提供することにある。
【課題を解決するための手段】
【０００９】
本発明は、以下の構成によって把握される。
（１）本発明のエアーブラシは、エアーブラシ本体と、前記エアーブラシ本体の先端に設けられ、塗料流と空気流を噴出させるノズルと、前記ノズルに着脱自在に取付けられるニードルキャップと、前記エアーブラシ本体の後端に設けられ、前記ノズルから離脱させた前記ニードルキャップを仮装着させるニードルキャップ装着部と、を有することを特徴とする。
（２）本発明のエアーブラシは、（１）の構成において、前記ニードルキャップ装着部は、外周に前記ニードルキャップを仮装着可能な係止手段が形成された突起部を有することを特徴とする。
（３）本発明のエアーブラシは、（２）の構成において、前記ニードルキャップは、その内周に前記ノズルの外周に形成された雄ねじに螺合される雌ねじを有し、前記突起部は、その外周に前記ニードルキャップの前記雌ねじに螺合される雄ねじを有することを特徴とする。
（４）本発明のエアーブラシは、（３）の構成において、前記ニードルキャップ装着部は、さらに、前記突起部を囲んで形成される外側円筒体と、前記外側円筒体と前記突起部との間に配置される内側円筒体と、前記エアーブラシ本体と前記内側円筒体との間に配置されたコイルスプリングと、を有し、前記内側円筒体は、前記コイルスプリングの付勢力に抗してエアーブラシ本体側へ押すことにより、前記突起部の雄螺子を露出できることを特徴とする。
（５）本発明のエアーブラシは、（２）の構成において、前記ニードルキャップは、その内周に前記ノズルの外周に形成された凹部に嵌合される凸部を有し、前記突起部は、その外周に前記ニードルキャップの前記凸部に嵌合される凹部を有することを特徴とする。
（６）本発明のエアーブラシは、（５）の構成において、前記ニードルキャップ装着部は、さらに、前記突起部を囲んで形成される外側円筒体と、前記外側円筒体と前記突起部との間に配置される内側円筒体と、前記エアーブラシ本体と前記内側円筒体との間に配置されたコイルスプリングと、を有し、前記内側円筒体を、前記コイルスプリングの付勢力に抗してエアーブラシ本体側へ押すことにより、前記突起部の前記凹部およびその周辺の凸部を露出できることを特徴とする。
（７）本発明のエアーブラシは、（１）の構成において、前記ニードルキャップは磁石を備え、前記磁石は、前記ノズル及び前記ニードルキャップ装着部の取り付け側がN極又はS極のいずれか一方の磁極によって形成され、前記ノズルは前記ニードルキャップの磁石の磁極とは反対の磁極で形成され、前記ニードルキャップ装着部は前記ニードルキャップの磁石の磁極とは反対の磁極で形成されることを特徴とする。
（８）本発明のエアーブラシは、（１）の構成において、前記ニードルキャップは磁石を備え、前記磁石は、前記ノズル及び前記ニードルキャップ装着部の取り付け側がN極又はS極のいずれか一方の磁極によって形成され、前記ノズルは鉄などの磁性体によって形成され、前記ニードルキャップ装着部は鉄などの磁性体によって形成されることを特徴とする。
【発明の効果】
【００１０】
このように構成したエアーブラシによれば、ノズルから取り外したニードルキャップをニードルキャップ装着部に仮装着することができるので、紛失し難くすることができるようになる。
【図面の簡単な説明】
【００１１】
【図１】本発明のエアーブラシの全体の概略構成を示す断面図である。
【図２】（ａ）、（ｂ）は、エアーブラシのノズルに着脱自在に取付けられるニードルキャップを示す斜視図である。
【図３】（ａ）は図２（ａ）のIIIａ−IIIａ線における断面図、（ｂ）は図２（ｂ）のIIIｂ−IIIｂ線における断面図である。
【図４】（ａ）、（ｂ）、（ｃ）は、エアーブラシに形成されたニードルキャップ装着部にニードルキャップが仮装着される手順を示した図である。
【図５】（ａ）は図４（ａ）のVａ−Vａ線における断面図、（ｂ）は図４（ｂ）のVｂ−Vｂ線における断面図である。
【図６】図４（ｃ）のVI−VI線における断面図である。
【図７】（ａ）、（ｂ）、（ｃ）は、本発明のエアーブラシの実施形態２を示す構成図である。
【図８】（ａ）、（ｂ）は、本発明のエアーブラシの実施形態３を示す構成図である。
【図９】（ａ）、（ｂ）は、本発明のエアーブラシの実施形態３を示す構成図である。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
（実施形態１）
<全体の構成>
【００１３】
図１は、本発明のエアーブラシの全体の概略構成を示す断面図である。
図１に示すエアーブラシ１０は、ほぼペンシルに似た形状をなすエアーブラシ本体２０を具備している。すなわち、エアーブラシ本体２０は、ほぼ直線状に延在する棒体をなし、ペンシルを握るようにして扱うことができるようになっている。
テーパ状に絞ったエアーブラシ本体２０の先端部には塗料噴出ノズル３０Ａが取り付けられ、該塗料噴出ノズル３０Ａの後部の上部には塗料容器４０が設けられている。
塗料容器４０には液状の塗料（図示せず）が収納され、該塗料は塗料容器４０の底面に形成された孔４０Ｈを通して塗料噴出ノズル３０Ａ内に導かれるようになっている。なお、塗料噴出ノズル３０Ａの先端は塗料噴出孔３０Ｈが形成され、この塗料噴出孔３０Ｈは、通常時において、後述のニードル５０の先端部によってシールされるようになっている。
【００１４】
また、エアーブラシ本体２０の中間部の下部には、圧縮空気が供給される空気供給口部６０が設けられている。この空気供給口部６０は、たとえば圧縮空気の供給ホース（図示せず）を接続させる接続筒６１からなり、その内部に給気バルブ６２を備えている。給気バルブ６２は、エアーブラシ本体２０の空気供給口部６０とは反対側の上部に設けられた操作杆７０をエアーブラシ本体２０側（図中α方向）へ押す操作によって開弁できるようになっている。
【００１５】
操作杆７０は、その先端部に枢軸７１を介して押杆７２を接続し、該押杆７２を接続筒６１の軸芯部に嵌装することにより、押し下げ自在に支持されている。
押杆７２の先端は給気バルブ６２に当接され、操作杆７０の押し下げ操作によって給気バルブ６２が開弁するようになっている。
そして、給気バルブ６２の開弁によって、空気供給口部６０から流入する圧縮空気は、エアーブラシ本体２０内に形成された空気通路２１、２１’、２１’’を通過して塗料噴出ノズル３０Ａの外周に沿って噴出するようになっている。
なお、塗料噴出ノズル３０Ａは、この塗料噴出ノズル３０Ａを囲むようにして空気噴出ノズル３０Ｂが設けられ、圧縮空気は塗料噴出ノズル３０Ａと空気噴出ノズル３０Ｂの間の隙間を通して噴出されるようになっている。そして、この明細書では、塗料噴出ノズル３０Ａと空気噴出ノズル３０Ｂとを合せて、以下、単にノズル３０と称する場合がある。
【００１６】
エアーブラシ本体２０内には、ニードル５０が軸芯部に沿ってスライド可能に配置され、このニードル５０を操作杆７０の操作によって後退させることができるようになっている。
すなわち、操作杆７０は、枢軸７１を中心に後方（図中β方向）へ傾動させることができ、この傾動によって、ニードル５０およびニードルチャック５１を後方へスライドできるようになっている。ニードルチャック５１は、エアーブラシ本体２０の後部の軸心部によって嵌装され、ニードル５０を挿通によって支持している。
操作杆７０の上述した操作により、塗料噴出ノズル３０Ａとニードル５０とのシールが解除され、塗料容器４０からの塗料を、空気噴出ノズル３０Ｂからの圧縮空気の噴出とともに、塗料噴出ノズル３０Ａの塗料噴出孔３０Ｈから吹き出すように構成されている。
【００１７】
ここで、塗料噴出ノズル３０Ａの塗料噴出孔３０Ｈのニードル５０によるシールは、たとえば、ニードル５０の先端部を塗料噴出ノズル３０Ａの塗料噴出孔３０Ｈに抜き差し自在に貫通せしめる弁構造によって行っている。このため、塗料噴出孔３０Ｈからニードル５０が突出しているノズル３０の先端部には、該ニードル５０を保護するためのニードルキャップ８０が備えられている。
ニードルキャップ８０は、ノズル３０（空気噴出ノズル３０Ｂ）にたとえば螺合によって着脱自在に取付けられるようになっている。ニードルキャップ８０は、通常時において、ノズル３０に取り付けられているが、ペインティング等において、たとえば極細線を描く際に、ニードルキャップ８０をノズル３０から取り外し、該ノズル３０の先端を被塗装面にできるだけ近づけて描くようにする場合がある。
【００１８】
なお、ニードルチャック５１は、コイルスプリング５２を内包し、該コイルスプリング５２の反発力によって常時前方に付勢されている。
また、ニードルチャック５１の前端と操作杆７０との間にはほぼＳ字状の作動板５３が介在され、操作杆７０を後方へ傾動させた場合に、作動板５３を介してニードルチャック５１およびニードル５０を後方へスライドできるようになっている。
そして、エアーブラシ本体２０の後端部にはニードルキャップ装着部９０が形成されている。ここで、ニードルキャップ装着部９０の説明に先立ち、ニードルキャップ８０について詳述する。
【００１９】
<ニードルキャップ８０>
図２（ａ）、（ｂ）は、エアーブラシ１０のノズル３０に着脱自在に取付けられるニードルキャップ８０を示す斜視図である。
図２（ａ）は、ノズル３０にニードルキャップ８０が装着されている場合を示し、図２（ｂ）は、ノズル３０からニードルキャップ８０を離脱させた場合を示している。
【００２０】
図２（ａ）、（ｂ）から明らかとなるように、ニードルキャップ８０は、ほぼ円筒形の部材からなっている。
上述したように、エアーブラシ１０は、通常では、図２（ａ）に示すように、ノズル３０にニードルキャップ８０が装着された状態で使用されるようになっている。ノズル３０の先端のニードル５０を該ニードルキャップ８０によって保護するためである。
しかし、ペインティング等において、たとえば極細線を描く際に、図２（ｂ）に示すように、ニードルキャップ８０をノズル３０から取り外し、該ノズル３０の先端を被塗装面にできるだけ近づけて描くようにする場合がある。
【００２１】
図３（ａ）は、図２（ａ）のIIIａ−IIIａ線における断面図を示し、図３（ｂ）は、図２（ｂ）のIIIｂ−IIIｂ線における断面図を示している。
図３（ａ）、（ｂ）に示すように、ニードルキャップ８０には、その内周に雌ねじ８０Ａが形成され、ノズル３０には、その外周に雄ねじ３０Ｃが形成されている。
ニードルキャップ８０は、その雌ねじ８０Ａがノズル３０の雄ねじ３０Ｃに螺合することによって、ノズル３０に装着されるようになっている（図３（ａ）参照）。そして、ニードルキャップ８０は、その雌ねじ８０Ａがノズル３０の雄ねじ３０Ｃとの螺合を解除することによって、ノズル３０から離脱されるようになっている（図３（ｂ）参照）。
なお、ニードルキャップ８０は、金属、あるいは樹脂のいずれで形成されていてもよい。
【００２２】
<ニードルキャップ装着部９０>
図１に戻り、エアーブラシ本体２０の後端部には、ニードルキャップ装着部９０が形成されている。
図１において、ニードルキャップ装着部９０は、エアーブラシ本体２０の軸芯部に螺合された基台９１を有し、この基台９１の中心軸上に突出された突起部９２が形成されている。突起部９２の外周には雄ねじ９２Ａ（図５参照）が形成されている。この突起部９２の雄ねじ９２Ａは、前記ニードルキャップ８０の雌ねじ８０Ａが螺合されるようになっている。
なお、この基台９１は、その中心軸に沿って孔９１Ｈが形成され、この孔９１Ｈにはニードル５０が挿入されて支持されるようなっている。
また、基台９１には突起部９２との間に隙間を有し該突起部９２を囲むようにして外側円筒体９３が形成されている。そして、突起部９２と外側円筒体９３の間には、内側円筒体９４が配置され、この内側円筒体９４と基台９１との間にはコイルスプリング９５が配置されている。
【００２３】
ここで、内側円筒体９４は、有底円筒体の底部の中心に孔９４Ａが形成された形状をなし、突起部９２はそれに形成された棒体部９２Ｐが有底円筒体の前記孔９４Ａおよび前記コイルスプリング９５を貫通し、基台９１に形成された前記孔９１Ｈに挿入して固定されるようになっている。
これにより、内側円筒体９４は、コイルスプリング９５の反発力によって突起部９２の雄ねじ９２Ａが形成された側面を隠すように配置されるようになっている。そして、内側円筒体９４をコイルスプリング９５の反発力に抗して基台９１側に押すことによって、突起部９２の雄ねじ９２Ａを内側円筒体９４から露出させることができるようになっている。
【００２４】
図４（ａ）、（ｂ）、（ｃ）は、ニードルキャップ装着部９０にニードルキャップ８０が仮装着される手順を示した図である。
図４（ａ）は、ニードルキャップ８０を装着させる前のニードルキャップ装着部９０を示している。ニードルキャップ装着部９０を構成する突起部９２、内側円筒体９４、および外側円筒体９３は、それぞれの後端面においてほぼ滑らかに連続されて形成され、美観を考慮した曲面として構成されている。
図５（ａ）は、図４（ａ）のVａ−Vａ線における断面を示す図であり、内側円筒体９４は、コイルスプリング９５によって突起部９２の雄ねじ９２Ａが形成された側面を隠すように配置されている。
【００２５】
図４（ｂ）は、ニードルキャップ８０を突起部９２に螺合させる直前のニードルキャップ装着部９０を示している。ニードルキャップ８０の一端は、突起部９２を被って、内側円筒体９４に当接されている。
図５（ｂ）は、図４（ｂ）のVｂ−Vｂ線における断面を示す図であり、突起部９２とニードルキャップ８０は同軸上に配置されている。
【００２６】
図４（ｃ）は、ニードルキャップ８０をその軸周り（図中γ方向）に回転させている状態のニードルキャップ装着部９０を示している。これにより、突起部９２の雄ねじ９２Ａとニードルキャップ８０の雌ねじ８０Ａは螺合し始めるとともに、ニードルキャップ８０は、内側円筒体９４をコイルスプリング９５の反発力に抗して押し始めるようになる。これにより、ニードルキャップ８０の突起部９２への螺合がなされ、該ニードルキャップ８０はニードルキャップ装着部９０に仮装着されるようになる。
図６は、図４（ｃ）のVI−VI線における断面を示す斜視図であり、ニードルキャップ８０は、その雌ねじ８０Ａが突起部９２の雄ねじ９２Ａに螺合されていることが明らかになる。
【００２７】
上述したことから明らかになるように、本発明のエアーブラシ１０によれば、ノズル３０から取り外したニードルキャップ８０を、即、ニードルキャップ装着部９０に、簡単に仮装着させることができることから、紛失し難くすることができるようになる。
【００２８】
（実施形態２）
実施形態１では、ニードルキャップ８０は、ノズル３０に螺合によって取り付けられ、ニードルキャップ装着部９０に螺合によって仮装着されたものである。しかし、このような螺合に限定されることはなく、嵌合によって取付け、あるいは仮装着できるように構成してもよいことはもちろんである。
図７（ａ）、（ｂ）、（ｃ）は、このように構成した実施形態２のエアーブラシの説明図である。
図７（ａ）は、図３（ａ）に対応する図であり、ノズル３０から外したニードルキャップ８０の内周面の後端部にはその内周に沿って凸部１０１が形成されている。これにより、ニードルキャップ８０の内周面の先端側には凹部１０１Ａが形成されるようになる。また、ノズル３０の外周面にはその外周に沿って凹部１０２が形成されている。これにより、ノズル３０の該凹部１０２より先端側の外周面には凸部１０２Ａが形成されるようになる。ニードルキャップ８０のノズル３０に対する取付けは、ニードルキャップ８０の凸部１０１、凹部１０１Ａが、それぞれ、ノズル３０の凹部１０２、凸部１０２Ａに嵌合することによってなされるようになっている。
図７（ｂ）は、図５（ａ）に対応する図であり、ニードルキャップ装着部９０の突起部９２の外周面の先端側にはその外周に沿って凹部１０３が形成されている。これにより、突起部９２の内周面の後端部には凸部１０３Ａが形成されるようになる。突起部９２の凹部１０３、凸部１０３Ａは、通常において、コイルスプリング９５の付勢力によって移動する内側円筒体９４に隠されるようになるのは、図５（ｂ）の場合と同様である。
図７（ｃ）は、図５（ｂ）に対応する図であり、ノズル３０から外したニードルキャップ８０をニードルキャップ装着部９０に仮装着させた場合を示した図である。図７（ｃ）に示すように、ニードルキャップ８０のニードルキャップ装着部９０に対する仮装着は、内側円筒体９４のコイルスプリング９５に抗する移動によって、突起部９２の外周面に形成された凸部１０３Ａ、凹部１０３を露出させ、ニードルキャップ８０の凸部１０１、凹部１０１Ａが、それぞれ、ニードルキャップ装着部９０の突起部９２の凹部１０３、凸部１０３Ａに嵌合することによってなされるようになっている。
【００２９】
（実施形態３）
実施形態２では、ニードルキャップ装着部９０において、コイルスプリング９５、内側円筒体９４を設けるようにしたものである。しかし、これに限定されることはなく、該コイルスプリング９５、内側円筒体９４を除いた構成とするようにしてもよい。
図８（ａ）は、図７（ｂ）に対応し、図８（ｂ）は、図７（ｃ）に対応した図である。図８（ａ）、（ｂ）に示すように、図７（ｂ）、（ｃ）と比べて、コイルスプリング９５、内側円筒体９４がない構成となっている。そして、その他の構成は、図７（ｂ）、（ｃ）と同様となっている。
【００３０】
（実施形態４）
実施形態１ないし実施形態３では、ニードルキャップ８０のノズル３０およびニードルキャップ装着部９０への取付けおよび仮装着は、螺合、あるいは嵌合で行ったものである。しかし、これらに限定されることはなく、磁石の吸着によって行ってもよいことはもちろんである。
図９（ａ）、（ｂ）は、それぞれ、図８（ａ）、（ｂ）に対応した図である。図９（ａ）、（ｂ）に示すように、ニードルキャップ装着部９０の突起部９２は、磁性体（磁石）で形成され、その表面はたとえばＮ（Ｓ）極となっている。なお、図示していないが、ノズル３０（図１参照）においても磁性体（磁石）で形成され、その表面はＮ（Ｓ）極となっている。一方、ニードルキャップ８０は、磁性体（磁石）で形成され、その内周面はたとえばＳ（Ｎ）極となっている。
このようにした場合、ニードルキャップ８０、ノズル３０、ニードルキャップ装着部９０に特別の工夫を凝らすことなく、ニードルキャップ８０のノズル３０およびニードルキャップ装着部９０への取付けおよび仮装着を信頼性よく行うことができるようになる。
この場合、ニードルキャップ８０、ノズル３０、ニードルキャップ装着部９０は磁石で構成されている必要はなく、その一部として形成されていてもよいことはもちろんである。
そして、このような磁石によるニードルキャップ８０のノズル３０およびニードルキャップ装着部９０への取付けおよび仮装着は、実施形態１、２の構成において適用させることができる。
【００３１】
（実施形態５）
実施形態１ないし４では、いわゆるペンシル型と称され、操作杆を備えるエアーブラシについて説明したものである。しかし、これに限定されることはなく、たとえばガン型と称され、該操作杆に替えて引金を備えたエアーブラシにも適用できることはいうまでもない。
【００３２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３３】
１０……エアーブラシ、
２０……エアーブラシ本体、
２１、２１’、２１’’……空気通路、
３０……ノズル、
３０Ａ……塗料噴出ノズル、
３０Ｂ……空気噴出ノズル、
３０Ｈ……塗料噴出孔、
４０……塗料容器、
５０……ニードル、
５１……ニードルチャック、
５２……コイルスプリング、
５３……作動板、
６０……空気供給口部、
６１……接続筒、
６２……給気バルブ、
７０……操作杆、
７１……枢軸、
７２……押杆、
８０……ニードルキャップ、
９０……ニードルキャップ装着部、
９１……基台、
９２……突起部、
９２Ｐ……棒体部、
９３……外側円筒体、
９４……内側円筒体、
９５……コイルスプリング。
１０１……凸部、
１０２、１０３……凹部、
【図１】
2014221468.tif 000003
【図２】
2014221468.tif 000004
【図３】
2014221468.tif 000005
【図４】
2014221468.tif 000006
【図５】
2014221468.tif 000007
【図６】
2014221468.tif 000008
【図７】
2014221468.tif 000009
【図８】
2014221468.tif 000010
【図９】
2014221468.tif 000011